【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
廃棄物処理装置であって、
廃棄物を受容する廃棄物チャンバーを形成する容器と、
筒状体を支持する固定支持部材であって、当該筒状体は閉鎖した前端部または閉鎖自在な前端部を有し、これにより袋が形成されるものである、前記固定支持部材と、
開口部が形成されたねじり部材であって、当該開口部を前記筒状体が通過する際に当該ねじり部材は前記筒状体と係合するものであり、このねじり部材は下面を有し、当該下面から下方に向かって突起部が延出するものである、前記ねじり部材と、
前記ねじり部材が前記筒状体と係合する際に、前記突起部と係合することにより前記固定支持部材に対して当該ねじり部材を回転させる回転機構であって、前記回転により前記筒状体にねじれが形成されるものである、前記回転機構と
を有する廃棄物処理装置。
【請求項２】
請求項１記載の廃棄物処理装置において、前記回転機構は前記突起部と噛合する駆動ギアを含み、当該駆動ギアが回転することにより前記ねじり部材が回転するものである廃棄物処理装置。
【請求項３】
請求項１記載の廃棄物処理装置において、前記ねじり部材は、前記筒状体の一部に弾性的に係合し、且つ当該筒状体の一部を弾性的に把持する把持部材を有するものである廃棄物処理装置。
【請求項４】
請求項３記載の廃棄物処理装置において、前記把持部材は、柔軟性を有する複数のフィンガー部を備える膜を有し、当該フィンガー部は、対応する複数のスロットにより分離されているものである廃棄物処理装置。
【請求項５】
請求項１記載の廃棄物処理装置において、さらに、
前記容器に連結されたふたを有し、当該ふたは、前記チャンバーがアクセス可能になる開放位置と、前記チャンバーが覆われる閉鎖位置との間で移動自在であり、前記回転機構は当該ふたが前記開放位置から前記閉鎖位置に移動することにより作動されるように構成されているものである廃棄物処理装置。
【請求項６】
請求項５記載の廃棄物処理装置において、前記回転機構は、前記ふたが前記開放位置へ移動されたときに前記ねじり部材が回転するのを防ぐように構成されているものである廃棄物処理装置。
【請求項７】
請求項１記載の廃棄物処理装置において、前記固定支持部材は、前記容器に着脱自在に取り付けられたフレームを有し、当該フレームは前記容器に対して回転されないものである廃棄物処理装置。
【請求項８】
請求項７記載の廃棄物処理装置において、前記固定支持部材は、さらに、閉鎖した前端部または閉鎖自在な前端部と、後端部とを有する一定の長さの筒状体を有し、
前記筒状体の前記後端部は前記フレームに固定され、前記筒状体は、前記前端部の近接部における断面の大きさが前記フレームに固定された部分における断面の大きさより大きいものである廃棄物処理装置。
【請求項９】
請求項８記載の廃棄物処理装置において、前記筒状体は、約２２インチ〜約３６インチの長さを有するものである廃棄物処理装置。
【請求項１０】
請求項７記載の廃棄物処理装置において、前記フレームは環状であり、対向する側の同一の位置に強度を低下させた部分を含み、当該強度を低下させた部分において前記フレームが折曲されることにより、前記筒状体によって形成される袋にハンドルが形成されるものである廃棄物処理装置。
【請求項１１】
廃棄物を収容して処理する方法であって、
フレームと、前記フレームに取り付けられた使い捨ての袋とを含む袋アセンブリを提供する工程と、
前記袋アセンブリを廃棄物処理ユニットに取り付ける工程と、
前記使い捨ての袋の一部をねじる工程と、
前記使い捨ての袋の一部がねじれた状態にあるとき、廃棄物を前記使い捨ての袋のねじれた部分を通して押込むことにより前記使い捨ての袋に挿入する工程と
を有する方法。
【請求項１２】
請求項１１記載の廃棄物を収容して処理する方法において、
前記袋アセンブリを前記廃棄物処理ユニットに取り付ける工程は、前記フレームを前記廃棄物処理ユニットに取り付けることにより実行され、これにより、前記フレームは前記廃棄物処理ユニットに対して回転されないように設けられるものである廃棄物を収容して処理する方法。
【請求項１３】
請求項１２記載の廃棄物を収容して処理する方法において、
前記フレームを前記廃棄物処理ユニットに取り付ける工程は、前記フレームが前記廃棄物処理ユニットの外側ハウジングに対して移動されないように実行されるものである廃棄物を収容して処理する方法。
【請求項１４】
請求項１１記載の廃棄物を収容して処理する方法において、
前記使い捨ての袋の一部をねじる工程は、前記使い捨ての袋の外面と係合する弾性部材を使って実行されるものである廃棄物を収容して処理する方法。
【請求項１５】
請求項１４記載の廃棄物を収容して処理する方法において、
前記弾性部材は複数の弾性を有するフィンガー部を含むものである廃棄物を収容して処理する方法。
【請求項１６】
請求項１１記載の廃棄物を収容して処理する方法において、
前記使い捨ての袋の一部をねじる工程は、開口部が形成されたねじり部材であって、当該開口部を前記使い捨ての袋が通過する際に当該ねじり部材は前記使い捨ての袋と係合するものである、前記ねじり部材を使って実行されるものである前記廃棄物を収容して処理する方法。
【請求項１７】
請求項１１記載の廃棄物を収容して処理する方法において、前記使い捨ての袋は、約２２インチ〜約３６インチの長さを有するものである廃棄物を収容して処理する方法。
【請求項１８】
請求項１１記載の廃棄物を収容して処理する方法において、前記使い捨ての袋は、前記フレームに対して遠位にある前端部の近接部における断面の大きさが前記フレームに固定された部分における断面の大きさより大きいものである廃棄物を収容して処理する方法。
【請求項１９】
廃棄物を収容して処理する方法であって、
閉鎖した前端部と、開口端部と、前記閉鎖した前端部と前記開口端部との間の中間部分とを有する袋を提供する工程と、
前記袋を廃棄物処理ユニットに取り付けて前記開口端部が当該廃棄物処理ユニットに対して回転されることを防ぐ工程と、
前記袋の中間部分をねじる工程と、
前記中間部分がねじれた状態にあるとき、廃棄物を前記開口端部および前記ねじれた状態の中間部分を通して前記袋に挿入する工程と
を有する方法。
【請求項２０】
請求項１９記載の廃棄物を収容して処理する方法において、
前記袋を前記廃棄物処理ユニットに取り付ける工程は、前記開口端部に取り付けられたフレームを前記廃棄物処理ユニットに取り付けることにより実行され、これにより、当該フレームは前記廃棄物処理ユニットに対して回転されないように設けられるものである廃棄物を収容して処理する方法。
【請求項２１】
請求項２０記載の廃棄物を収容して処理する方法において、
前記フレームを前記廃棄物処理ユニットに取り付ける工程は、前記フレームが前記廃棄物処理ユニットの外側ハウジングに対して移動されないように実行されるものである廃棄物を収容して処理する方法。
【請求項２２】
請求項１９記載の廃棄物を収容して処理する方法において、
前記袋は使い捨ての袋である廃棄物を収容して処理する方法。
【請求項２３】
請求項１９記載の廃棄物を収容して処理する方法において、
前記袋の中間部分をねじる工程は、前記袋の外面と係合する弾性部材を使って実行されるものである廃棄物を収容して処理する方法。
【請求項２４】
請求項２３記載の廃棄物を収容して処理する方法において、
前記弾性部材は複数の弾性を有するフィンガー部を含むものである廃棄物を収容して処理する方法。
【請求項２５】
請求項１９記載の廃棄物を収容して処理する方法において、
前記廃棄物を前記開口端部および前記ねじれた状態の中間部分を通して前記袋に挿入する工程は、前記弾性部材が前記袋の中間部分と係合するときに実行されるものである廃棄物を収容して処理する方法。
【請求項２６】
請求項１９記載の廃棄物を収容して処理する方法において、
前記袋の中間部分をねじる工程は、開口部が形成されたねじり部材であって、当該開口部を前記袋が通過する際に当該ねじり部材は前記袋と係合するものである、前記ねじり部材を使って実行されるものである前記廃棄物を収容して処理する方法。
【請求項２７】
請求項１９記載の廃棄物を収容して処理する方法において、
前記袋の中間部分をねじる工程は、前記袋の下部内の悪臭を実質的に封じ込めるために十分な程度まで実行されるものである廃棄物を収容して処理する方法。
【請求項２８】
請求項１９記載の廃棄物を収容して処理する方法において、前記袋は、約２２インチ〜約３６インチの長さを有するものである廃棄物を収容して処理する方法。
【請求項２９】
請求項１９記載の廃棄物を収容し
て処理する方法において、前記袋は、前記フレームに対して遠位にある前端部の近接部における断面の大きさが前記フレームに固定された部分における断面の大きさより大きいものである廃棄物を収容して処理する方法。
【手続補正２】
【補正対象書類名】明細書
【補正対象項目名】０００２
【補正方法】変更
【補正の内容】
【０００２】
小型の廃棄物処理装置は、病院、診療所、および衛生的に処分すべき廃棄物が生じる他の場所で一般的に見られる。さらに、悪臭を発する廃棄物の処理装置は、廃棄物から発生する悪臭を封じ込めなければならない。
米国特許第６，６１２，０９９号、第６，８０４，９３０号、第６，８５１，２５１号、および第７，１４６，７８５号では廃棄物処理装置がいくつか開示されており、これらはすべて参照により本明細書に組み込むものとする。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正３】
【補正対象書類名】明細書
【補正対象項目名】０００３
【補正方法】変更
【補正の内容】
【０００３】
【特許文献１】  独国実用新案出願公開第２０  ２００５  ０１５１１７号明細書
【特許文献２】  国際公開第２００７／１３０８８９号
【特許文献３】  米国特許出願公開第２００５／２１７２１４号明細書
【特許文献４】  米国特許第２０８５７５７号明細書
【特許文献５】  米国特許第２２７１９１８号明細書
【特許文献６】  米国特許第３５３６１９２号明細書
【特許文献７】  米国特許第３６１９８２２号明細書
【特許文献８】  米国特許第３７７９１５７号明細書
【特許文献９】  米国特許第３９０８３３６号明細書
【特許文献１０】  米国特許第３９５９９４７号明細書
【特許文献１１】  米国特許第４１６２６０２号明細書
【特許文献１２】  米国特許第４４２７１１０号明細書
【特許文献１３】  米国特許第４５６１５６３号明細書
【特許文献１４】  米国特許第４７６０７８４号明細書
【特許文献１５】  米国特許第４８６９０４９号明細書
【特許文献１６】  米国特許第４９３４５２９号明細書
【特許文献１７】  米国特許第５０２２５５３号明細書
【特許文献１８】  米国特許第５１２０４５４号明細書
【特許文献１９】  米国特許第５１２５５２６号明細書
【特許文献２０】  米国特許第５１４７０５５号明細書
【特許文献２１】  米国特許第５１８３１５７号明細書
【特許文献２２】  米国特許第５１８４５７５号明細書
【特許文献２３】  米国特許第５２９４０１７号明細書
【特許文献２４】  米国特許第５５３５９１３号明細書
【特許文献２５】  米国特許第５５９０５１２号明細書
【特許文献２６】  米国特許第５６４２８１０号明細書
【特許文献２７】  米国特許第５６５１２３１号明細書
【特許文献２８】  米国特許第５６５５６８０号明細書
【特許文献２９】  米国特許第５６７１８４７号明細書
【特許文献３０】  米国特許第５７６５３３９号明細書
【特許文献３１】  米国特許第５８１３２００号明細書
【特許文献３２】  米国特許第５８８４５５６号明細書
【特許文献３３】  米国特許第６０００３２３号明細書
【特許文献３４】  米国特許第６０６５２７２号明細書
【特許文献３５】  米国特許第６１２０７４３号明細書
【特許文献３６】  米国特許第６１２８８９０号明細書
【特許文献３７】  米国特許第６１４１９４５号明細書
【特許文献３８】  米国特許第６１７０２４０号明細書
【特許文献３９】  米国特許第６２０２８７７号明細書
【特許文献４０】  米国特許第６３５４０６２号明細書
【特許文献４１】  米国特許第６３７０８４７号明細書
【特許文献４２】  米国特許第６４５３６４０号明細書
【特許文献４３】  米国特許第６５１６５８８号明細書
【特許文献４４】  米国特許第６７１９１９４号明細書
【特許文献４５】  米国特許第６７２２１０７号明細書
【特許文献４６】  米国特許第６８１７１６４号明細書
【特許文献４７】  米国特許第６９０１９７４号明細書
【特許文献４８】  米国特許第６９２５７８１号明細書
【特許文献４９】  米国特許第６６１２０９９号明細書
【特許文献５０】  米国特許第６８５１２５１号明細書
【特許文献５１】  米国特許第６８０４９３０号明細書
【特許文献５２】  米国特許第７１１４３１４号明細書
【特許文献５３】  米国特許第７１４６７８５号明細書
【特許文献５４】  米国特許第７３１６１００号明細書
【特許文献５５】  米国特許第６９９３８９１号明細書
【特許文献５６】  米国特許出願公開第２００１／００３７６２７号明細書
【特許文献５７】  米国特許出願公開第２００５／０１８３４００号明細書
【特許文献５８】  米国特許出願公開第２００５／０１８８６６１号明細書
【特許文献５９】  米国特許出願公開第２００５／０１９３６９１号明細書
【特許文献６０】  米国特許出願公開第２００５／０１９３６９２号明細書
【特許文献６１】  米国特許出願公開第２００５／００３３２５９号明細書
【特許文献６２】  意匠登録第６０９００８号公報
【特許文献６３】  意匠登録第５９１５０９号公報
【特許文献６４】  意匠登録第５２３６３２号公報
【特許文献６５】  意匠登録第５０１６０２号公報
【特許文献６６】  意匠登録第５００５９０号公報
【特許文献６７】  米国特許第５０５６２９３号公報
【特許文献６８】  意匠登録第２７４４６２号公報
【特許文献６９】  米国特許第１７１９１８５号公報
【特許文献７０】  米国特許第２６１０４３２号公報
【特許文献７１】  意匠登録第３８０５３８号公報
【特許文献７２】  意匠登録第３８３８６４号公報
【特許文献７３】  意匠登録第４３２２２４号公報
【特許文献７４】  意匠登録第４５８３５９号公報
【特許文献７５】  意匠登録第４７５４４４号公報
【特許文献７６】  意匠登録第４８２１０９号公報
【特許文献７７】  意匠登録第４８２１１０号公報
【特許文献７８】  意匠登録第４８２１１１号公報
【特許文献７９】  意匠登録第４９２０１８号公報
【特許文献８０】  意匠登録第５１５６８３号公報
【特許文献８１】  米国特許第５７５２６５８号明細書
【特許文献８２】  意匠登録第４５５４８５号公報
【特許文献８３】  意匠登録第４９１２５７号公報
【特許文献８４】  意匠登録第５５１３３３号公報
【特許文献８５】  意匠登録第４２４６７７号公報
【特許文献８６】  意匠登録第３３４９７５号公報
【特許文献８７】  意匠登録第５１７６７３号公報
【特許文献８８】  意匠登録第５５０３４５号公報
【特許文献８９】  意匠登録第５６５７１５号公報
【特許文献９０】  意匠登録第５８５１２９号公報
【特許文献９１】  意匠登録第５９１４１５号公報
【特許文献９２】  米国特許第５１７４４６２号明細書
【特許文献９３】  米国特許第４４３７５７５号明細書
【特許文献９４】  国際公開第２００５／０４２３８１号
【特許文献９５】  国際公開第２００８／０５９２８２号
【特許文献９６】  米国特許第１６３３号明細書
【特許文献９７】  米国特許第１８０４６号明細書
【特許文献９８】  米国特許第１１１５２１号明細書
【特許文献９９】  米国特許第２９３４５９号明細書
【特許文献１００】  米国特許第４２８２２８号明細書
【特許文献１０１】  米国特許第４５９８７５号明細書
【特許文献１０２】  米国特許第４７１４３３号明細書
【特許文献１０３】  米国特許第５０３１１３号明細書
【特許文献１０４】  米国特許第６２７４３４号明細書
【特許文献１０５】  米国特許第６８５１７９号明細書
【特許文献１０６】  米国特許第８５９４９７号明細書
【特許文献１０７】  米国特許第８６０１８３号明細書
【特許文献１０８】  米国特許第３３１０２２４号明細書
【特許文献１０９】  米国特許第３７７２７１２号明細書
【特許文献１１０】  米国特許第４１７５６０３号明細書
【特許文献１１１】  米国特許第４６１７２３０号明細書
【特許文献１１２】  米国特許第４６３７０６１号明細書
【特許文献１１３】  米国特許第４６８７７１１号明細書
【特許文献１１４】  米国特許第４７２４１８号明細書
【特許文献１１５】  米国特許第４８６８０２４号明細書
【特許文献１１６】  米国特許第４８８０８５２号明細書
【特許文献１１７】  米国特許第４９０６４９５号明細書
【特許文献１１８】  米国特許第４９４６７２０号明細書
【特許文献１１９】  米国特許出願公開第２００２／０１６２３０４号明細書
【特許文献１２０】  米国特許出願公開第２００３／００７８５５２号明細書
【特許文献１２１】  米国特許出願公開第２００３／０１９００９７号明細書
【特許文献１２２】  米国特許出願公開第２００４／００８３６８１号明細書
【特許文献１２３】  米国特許出願公開第２００４／０１９１４３８号明細書
【特許文献１２４】  米国特許出願公開第２００５／００７９３７２号明細書
【特許文献１２５】  米国特許出願公開第２００５／０２２８３５４号明細書
【特許文献１２６】  米国特許出願公開第２００５／０２７４０９３号明細書
【特許文献１２７】  米国特許出願公開第２００６／００２１３０１号明細書
【特許文献１２８】  米国特許出願公開第２００６／０２３７４６１号明細書
【特許文献１２９】  米国特許出願公開第２００６／０２４９４１８号明細書
【特許文献１３０】  米国特許出願公開第２００６／０２５１８４２号明細書
【特許文献１３１】  米国特許出願公開第２００７／００４５３２４号明細書
【特許文献１３２】  米国特許出願公開第２００７／００５３６１６号明細書
【特許文献１３３】  米国特許出願公開第２００７／０１７５１８２号明細書
【特許文献１３４】  米国特許出願公開第２００７／０１８０７９８号明細書
【特許文献１３５】  米国特許出願公開第２００７／０１８９６４３号明細書
【特許文献１３６】  米国特許出願公開第２００７／０２４６４６５号明細書
【特許文献１３７】  米国特許出願公開第２００８／００１９６１８号明細書
【特許文献１３８】  米国特許出願公開第２００８／０１３４６４４号明細書
【特許文献１３９】  米国特許出願公開第２００８／０１９９６４３号明細書
【特許文献１４０】  米国特許出願公開第２００８／０２４７６７９号明細書
【特許文献１４１】  米国特許出願公開第２００８／０３１０７７２号明細書
【特許文献１４２】  国際公開第９９／３９６７５号
【特許文献１４３】  国際公開第０２／４２３６４号
【特許文献１４４】  国際公開第０２／０５１７８８号
【特許文献１４５】  米国特許第４９４８２６６号明細書
【特許文献１４６】  米国特許第４９４８６３９号明細書
【特許文献１４７】  米国特許第４９８３１７１号明細書
【特許文献１４８】  米国特許第４９９６７２７号明細書
【特許文献１４９】  米国特許第５１１６１３９号明細書
【特許文献１５０】  米国特許第５３８２６３１号明細書
【特許文献１５１】  米国特許第５３８５２５９号明細書
【特許文献１５２】  米国特許第５３９１４２３号明細書
【特許文献１５３】  米国特許第５５２０３０３号明細書
【特許文献１５４】  米国特許第５５８２８２０号明細書
【特許文献１５５】  米国特許第５６３７３６６号明細書
【特許文献１５６】  米国特許第５６９２８３７号明細書
【特許文献１５７】  米国特許第５７５９６４８号明細書
【特許文献１５８】  米国特許第５７６２４２１号明細書
【特許文献１５９】  米国特許第５７９９９０９号明細書
【特許文献１６０】  米国特許第５８８６０７８号明細書
【特許文献１６１】  米国特許第５８９７０８４号明細書
【特許文献１６２】  米国特許第６００７０３０号明細書
【特許文献１６３】  米国特許第６０７１４５１号明細書
【特許文献１６４】  米国特許第６０９６４２０号明細書
【特許文献１６５】  米国特許第６１１６７８０号明細書
【特許文献１６６】  米国特許第６１２９７１６号明細書
【特許文献１６７】  米国特許第６１６４８２１号明細書
【特許文献１６８】  米国特許第６１７４９９０号明細書
【特許文献１６９】  米国特許第６１９９２２０号明細書
【特許文献１７０】  米国特許第６２５８４２３号明細書
【特許文献１７１】  米国特許第６２９６３８８号明細書
【特許文献１７２】  米国特許第６３０３２２０号明細書
【特許文献１７３】  米国特許第６３１６０６７号明細書
【特許文献１７４】  米国特許第６３４５９１１号明細書
【特許文献１７５】  米国特許第６４９４６１９号明細書
【特許文献１７６】  米国特許第６５３２６０５号明細書
【特許文献１７７】  米国特許第６５４０１０３号明細書
【特許文献１７８】  米国特許第６５８５１５３号明細書
【特許文献１７９】  米国特許第６５９６８１４号明細書
【特許文献１８０】  米国特許第６９２１５８１号明細書
【特許文献１８１】  米国特許第６９４１７３３号明細書
【特許文献１８２】  米国特許第６９５６０８８号明細書
【特許文献１８３】  米国特許第６９７４０２９号明細書
【特許文献１８４】  米国特許第６９９４２４７号明細書
【特許文献１８５】  米国特許第７０７３３１１号明細書
【特許文献１８６】  米国特許第７１００７６７号明細書
【特許文献１８７】  米国特許第７１１４５３４号明細書
【特許文献１８９】  米国特許第７１７５９１８号明細書
【特許文献１９０】  米国特許第７１７８３１４号明細書
【特許文献１９１】  米国特許第７２７９１９８号明細書
【特許文献１９２】  米国特許第７２８８５９３号明細書
【特許文献１９３】  米国特許第７３００２０７号明細書
【特許文献１９４】  米国特許第７３２８５４７号明細書
【特許文献１９５】  米国特許第７３４７６２４号明細書
【特許文献１９６】  米国特許第７３５０６６３号明細書
【特許文献１９７】  米国特許第７３７７２０３号明細書
【特許文献１９８】  米国特許第３２１４０６５号明細書
【特許文献１９９】  米国特許第５９８８５２０号明細書
【特許文献２００】  米国特許第７０８６５６９号明細書
【特許文献２０１】  欧州特許出願公開第０９１３３４４号明細書
【特許文献２０２】  英国特許出願公開第０９９０３１号明細書
【特許文献２０３】  英国特許出願公開第７７２５３８号明細書
【特許文献２０４】  米国特許第４３４９１２３号明細書
【特許文献２０５】  米国特許第５２２２６２０号明細書
【特許文献２０６】  米国特許第５４０５０４１号明細書
【特許文献２０７】  米国特許第６９３１６８４号明細書
【特許文献２０８】  米国特許第７１６８５９１号明細書
【特許文献２０９】  米国特許第７７１２２８５号明細書
【特許文献２１０】  米国特許出願公開第２００７／０１５７５８１
【特許文献２１１】  米国特許第７４９０７３４号明細書
【特許文献２１２】  米国特許第３０８６６７４号明細書
【特許文献２１３】  米国特許第２３５２５０３号明細書
【特許文献２１４】  米国特許第４３０３７１０号明細書
【特許文献２１５】  米国特許第４８９０９３４号明細書
【特許文献２１６】  米国特許第５１２９７３５号明細書
【特許文献２１７】  米国特許第５９６２５９８号明細書
【特許文献２１８】  米国特許第６１４７１６７号明細書
【特許文献２１９】  米国特許出願公開第２００６／００１３５１２
【特許文献２２０】  米国特許第７６２９０３６号明細書
【特許文献２２１】  米国特許第７５００３３９号明細書
【特許文献２２２】  米国特許第６１６４４４２号明細書
【特許文献２２３】  米国特許出願公開第２００６／０１３０４３８
【特許文献２２４】  米国特許出願公開第２００６／０１３０４３９
【特許文献２２５】  米国特許第７４５９１９１号明細書
【特許文献２２６】  米国特許第６９１４０９１号明細書
【特許文献２２７】  米国特許第６８９４０８５号明細書
【特許文献２２８】  米国特許第５８５２１１４号明細書
【特許文献２２９】  米国特許第７２４１４９３号明細書
【特許文献２３０】  米国特許第５２７８２８２号明細書
【特許文献２３１】  米国特許第７４３４３７７号明細書
【特許文献２３２】  米国特許第５１５８１９９号明細書
【特許文献２３３】  英国特許出願公開第２２０６０９４号明細書
【特許文献２３４】  米国特許第７５０３１５９号明細書
【特許文献２３５】  米国特許第７５０３１５２号明細書
【特許文献２３６】  米国特許第６６５６５１４号明細書
【特許文献２３７】  国際公開第２００５／０４２３８１号
【特許文献２３８】  国際公開第２００７／１３０８８９
【特許文献２３９】  特開２００４−１７５５０８号公報
【特許文献２４０】  特許第３１３４０７８号公報
【特許文献２４１】  米国特許出願公開第２００８／０１７９３３０
【特許文献２４２】  米国特許出願公開第２００５／００４４８１９
【特許文献２４３】  米国特許出願公開第２００９／００６５５２１
【特許文献２４４】  米国特許出願公開第２００５／０１３１３６８
【発明の概要】
【課題を解決するための手段】